(57)【特許請求の範囲】
【請求項１】
音声出力機能付きの画像表示装置であって、
コンテンツ出力装置から出力される画像信号及び音声信号の少なくとも一方を含むコンテンツを受信するコンテンツ受信部と、
受信した画像信号に基づいて画像を表示する画像表示部と、
受信した音声信号に基づいて音声を出力する音声出力部と、
前記画像表示部及び音声出力部の動作を制御する制御部と、を含み、
前記コンテンツ受信部は、
前記コンテンツ出力装置からコンテンツとは独立して出力される、コンテンツの種類を識別するためのコンテンツ識別情報をさらに受信し、
前記制御部は、
受信した前記コンテンツ識別情報に基づいて、受信したコンテンツに画像信号又は音声信号が含まれているか否かを判断し、受信したコンテンツに画像信号が含まれていない場合には、前記画像表示部を省電力モードに設定し、受信したコンテンツに音声信号が含まれていない場合には、前記音声出力部を省電力モードに設定することを特徴とする画像表示装置。
【請求項２】
請求項１において、
前記画像表示部は、
省電力モードに設定された場合は所定のミュート画像を表示することを特徴とする画像表示装置。
【請求項３】
請求項１において、
前記画像表示部に電力を供給する電力供給部を含み、
前記電力供給部は、
前記画像表示部が省電力モードに設定された場合には前記画像表示部に電力を供給しないことを特徴とする画像表示装置。
【請求項４】
請求項１乃至３のいずれか一項において、
前記音声出力部に電力を供給する電力供給部を含み、
前記電力供給部は、
前記音声出力部が省電力モードに設定された場合には前記音声出力部に電力を供給しないことを特徴とする画像表示装置。
【請求項５】
請求項１乃至４のいずれか一項において、
前記制御部は、
前記コンテンツ受信部が受信したコンテンツに含まれる所定の付加情報に基づいて、受信したコンテンツに画像信号又は音声信号が含まれているか否かを判断することを特徴とする画像表示装置。
【請求項６】
請求項１乃至５のいずれか一項において、
前記制御部は、
前記コンテンツ受信部が受信したコンテンツに含まれる同期信号に基づいて、受信したコンテンツに画像信号又は音声信号が含まれているか否かを判断することを特徴とする画像表示装置。
【請求項７】
コンテンツ出力装置から出力される画像信号及び音声信号の少なくとも一方を含むコンテンツを受信するとともに、前記コンテンツ出力装置からコンテンツとは独立して出力される、コンテンツの種類を識別するためのコンテンツ識別情報を受信するコンテンツ受信部と、受信した画像信号に基づいて画像を表示する画像表示部と、を含む音声出力機能付きの画像表示装置の制御方法であって、
受信した前記コンテンツ識別情報に基づいて、受信したコンテンツに画像信号又は音声信号が含まれているか否かを判断するステップと、
受信したコンテンツに画像信号が含まれていない場合には、前記画像表示部を省電力モードに設定するステップと、
受信したコンテンツに音声信号が含まれていない場合には、前記音声出力部を省電力モードに設定するステップと、を含むことを特徴とする画像表示装置の制御方法。
【請求項８】
音声出力機能付きのプロジェクタであって、
コンテンツ出力装置から出力される画像信号及び音声信号の少なくとも一方を含むコンテンツを受信するコンテンツ受信部と、
放電灯ランプを有し、受信した画像信号に基づいて画像を表示する画像表示部と、
受信した音声信号に基づいて音声を出力する音声出力部と、
前記画像表示部及び音声出力部の動作を制御する制御部と、を含み、
前記コンテンツ受信部は、
前記コンテンツ出力装置からコンテンツとは独立して出力される、コンテンツの種類を識別するためのコンテンツ識別情報をさらに受信し、
前記制御部は、
受信した前記コンテンツ識別情報に基づいて、受信したコンテンツに画像信号又は音声信号が含まれているか否かを判断し、受信したコンテンツに画像信号が含まれていない場合には、前記画像表示部を省電力モードに設定し、受信したコンテンツに音声信号が含まれていない場合には、前記音声出力部を省電力モードに設定することを特徴とするプロジェクタ。
【発明の詳細な説明】
【技術分野】
【０００１】
本発明は、画像表示装置、プロジェクタ及び画像表示装置の制御方法に関する。
【背景技術】
【０００２】
現在の市場にはＢＳデジタルなどの放送メディア、ＤＶＤなどのパッケージメディア、インターネットなどの通信インフラなどの様々なコンテンツの提供手段がある。その手段を利用して提供されるコンテンツは、画像のみを含むコンテンツ、音声のみを含むコンテンツ、画像と音を含むコンテンツの３種類に分けられる。コンテンツ表現装置は、これらの３種類のコンテンツを表現するために画像表示機能と音声出力機能を持つ。
【特許文献１】特開２００６−２１７５２１号公報
【発明の開示】
【発明が解決しようとする課題】
【０００３】
しかし、従来のコンテンツ表現装置は、コンテンツの種類によらず、画像表示機能及び音声出力機能が常に動作状態にあり、無駄な電力を消費してしまっていた。また、例えば、音楽ＣＤを再生するような場合でも画像表示機能が動作状態にあるため、意味のない画像が表示されてしまいユーザにとって快適な視聴環境を提供することができなかった。
【０００４】
本発明は、以上のような問題点に鑑みてなされたものであり、コンテンツの種類に応じて画像表示機能又は音声出力機能を取捨選択することにより、省電力かつ快適な視聴環境を実現する音声出力機能付きの画像表示装置を提供することを目的とする。
【課題を解決するための手段】
【０００５】
（１）本発明に係る画像表示装置は、
音声出力機能付きの画像表示装置であって、
画像信号又は音声信号の少なくとも一方を含むコンテンツを受信するコンテンツ受信部と、
通常モードと省電力モードを含む複数の動作モードに設定可能であり、通常モードに設定された場合は受信した画像信号に基づいて画像を表示する画像表示部と、
受信した音声信号に基づいて音声を出力する音声出力部と、
前記画像表示部及び音声出力部の動作を制御する制御部と、を含み、
前記制御部は、
受信したコンテンツに画像信号が含まれていない場合には、前記画像表示部を省電力モードに設定することを特徴とする。
【０００６】
音声出力機能付きの画像表示装置は、例えば、液晶プロジェクタやテレビジョン受信器であってもよい。
【０００７】
コンテンツは、画像信号のみを含むコンテンツ、音声信号のみを含むコンテンツ、画像信号と音声信号を含むコンテンツのいずれであってもよい。
【０００８】
画像信号は、動画像データあってもよいし、静止画像データであってもよい。
【０００９】
音声信号は、人や動物等の音声データであってもよいし、音楽データであってもよい。
【００１０】
コンテンツは、例えば、ＨＤＭＩ（High Definition Multimedia Interface）端子やＵＳＢ（Universal Serial Bus）端子等から供給されるデジタルの画像信号や音声信号を含んでいてもよいし、ＲＣＡ端子等から供給されるアナログの画像信号や音声信号を含んでいてもよい。
【００１１】
コンテンツ受信部は、放送メディアにより提供されるコンテンツを、チューナーユニットを介して受信してもよいし、インターネット等により提供されるコンテンツを受信してもよいし、ＤＶＤなどのパッケージメディアに格納されたコンテンツを再生装置を介して受信してもよい。
【００１２】
本発明によれば、例えば、音声のみを含むコンテンツを受信した場合は、画像表示は不要であるため、音声出力部に音声出力をさせながら、画像表示部を省電力モードに設定することができる。従って、画像表示部の電力を削減することができるので、消費電力の小さい画像表示装置を提供することができる。
【００１３】
（２）本発明に係る画像表示装置は、
前記音声出力部は、
通常モードと省電力モードを含む複数の動作モードに設定可能であり、通常モードに設定された場合は受信した音声信号に基づいて音声を出力し、
前記制御部は、
受信したコンテンツに画像信号が含まれていない場合には、前記画像表示部を省電力モードに設定するとともに前記音声出力部を通常モードに設定し、受信したコンテンツに音声信号が含まれていない場合には、前記画像表示部を通常モードに設定するとともに前記音声出力部を省電力モードに設定することを特徴とする。
【００１４】
本発明によれば、音声のみを含むコンテンツを受信した場合は、画像表示部を省電力モードに設定するとともに音声出力部を通常モードに設定することができる。従って、音声出力部に音声を出力させながら、画像表示部の電力を削減することができるので、消費電力の小さい画像表示装置を提供することができる。
【００１５】
また、本発明によれば、画像のみを含むコンテンツを受信した場合は、画像表示部を通常モードに設定するとともに音声出力部を省電力モードに設定することができる。従って、画像表示部に画像を表示させながら、音声出力部の電力を削減することができるので、消費電力の小さい画像表示装置を提供することができる。
【００１６】
（３）本発明に係る画像表示装置は、
音声出力機能付きの画像表示装置であって、
画像信号及び音声信号の少なくとも一方を含むコンテンツを受信するコンテンツ受信部と、
受信した画像信号に基づいて画像を表示する画像表示部と、
通常モードと省電力モードを含む複数の動作モードに設定可能であり、通常モードに設定された場合は受信した音声信号に基づいて音声を出力する音声出力部と、
前記画像表示部及び音声出力部の動作を制御する制御部と、を含み、
前記制御部は、
受信したコンテンツに音声信号が含まれていない場合には、前記音声出力部を省電力モードに設定することを特徴とする。
【００１７】
本発明によれば、例えば、画像のみを含むコンテンツを受信した場合は、音声出力は不要であるため、画像表示部に画像を表示させながら、音声出力部を省電力モードに設定することができる。従って、音声出力部の電力を削減することができるので、消費電力の小さい画像表示装置を提供することができる。
【００１８】
（４）本発明に係る画像表示装置は、
前記画像表示部は、
省電力モードに設定された場合は所定のミュート画像を表示することを特徴とする。
【００１９】
所定のミュート画像は、例えば、全面が黒色の画像であってもよい。
【００２０】
本発明によれば、例えば、音声のみを含むコンテンツを受信した場合は画像表示は不要であるため、画像表示部を省電力モードに設定してミュート画像を表示させることができる。従って、消費電力が小さく、かつ、快適な視聴環境を提供する画像表示装置を提供することができる。
【００２１】
（５）本発明に係る画像表示装置は、
前記画像表示部に電力を供給する電力供給部を含み、
前記電力供給部は、
前記画像表示部が省電力モードに設定された場合には前記画像表示部に電力を供給しないことを特徴とする。
【００２２】
本発明によれば、例えば、音声のみを含むコンテンツを受信した場合は、画像表示は不要であるため、画像表示部を省電力モードに設定することにより画像表示部に電力が供給されないようにすることができる。従って、画像表示部の電力を大幅に削減することができるとともに不要な画像が表示されないので、消費電力が小さく、かつ、快適な視聴環境を提供する画像表示装置を提供することができる。
【００２３】
（６）本発明に係る画像表示装置は、
前記音声出力部に電力を供給する電力供給部を含み、
前記電力供給部は、
前記音声出力部が省電力モードに設定された場合には前記音声出力部に電力を供給しないことを特徴とする。
【００２４】
本発明によれば、例えば、画像のみを含むコンテンツを受信した場合は、音声出力は不要であるため、音声出力部を省電力モードに設定することにより音声出力部に電力が供給されないようにすることができる。従って、音声出力部の電力を大幅に削減することができるとともに不要な音声が出力されないので、消費電力が小さく、かつ、快適な視聴環境を提供する画像表示装置を提供することができる。
【００２５】
（７）本発明に係る画像表示装置は、
前記制御部は、
所定の入力操作情報に基づいて、受信したコンテンツに画像信号又は音声信号が含まれているか否かを判断することを特徴とする。
【００２６】
所定の入力操作情報は、例えば、ユーザによる画像表示や音声出力をさせるか否かを指示する操作に関する情報であってもよい。
【００２７】
本発明によれば、画像のみを含むコンテンツか音声のみを含むコンテンツか画像と音を含むコンテンツのいずれであるかをユーザが判断して、画像表示や音声出力をさせるか否かを任意に設定することができる。従って、消費電力が小さく、かつ、ユーザの好みに応じた視聴環境を提供する画像表示装置を提供することができる。
【００２８】
（８）本発明に係る画像表示装置は、
前記制御部は、
前記コンテンツ受信部が受信したコンテンツに含まれる所定の付加情報に基づいて、受信したコンテンツに画像信号又は音声信号が含まれているか否かを判断することを特徴とする。
【００２９】
付加情報は、例えば、ＨＤＭＩ端子等から供給されるコンテンツのデジタル信号に含まれるヘッダ情報であってもよい。
【００３０】
本発明によれば、受信したコンテンツの付加情報に基づいて、音声のみを含むコンテンツ又は画像のみを含むコンテンツであると判断した場合は、それぞれ画像表示部又は音声出力部が自動的に省電力モードに設定される。従って、消費電力の小さい画像表示装置を提供することができる。
【００３１】
（９）本発明に係る画像表示装置は、
前記制御部は、
前記コンテンツ受信部が受信したコンテンツに含まれる同期信号に基づいて、受信したコンテンツに画像信号又は音声信号が含まれているか否かを判断することを特徴とする。
【００３２】
同期信号は、例えば、画像や音声がデジタル信号として供給されるコンテンツの場合は、画像や音声の同期をとるためのフラグ情報であってもよい。
【００３３】
また、同期信号は、例えば、画像や音声がアナログ信号として供給されるコンテンツの場合は、画像信号に重畳された水平同期信号又は垂直同期信号であってもよい。
【００３４】
本発明によれば、同期信号に基づいて、音声のみを含むコンテンツ又は画像のみを含むコンテンツであると判断した場合は、それぞれ画像表示部又は音声出力部が自動的に省電力モードに設定される。従って、消費電力の小さい画像表示装置を提供することができる。
【００３５】
（１０）本発明に係る画像表示装置は、
前記コンテンツ受信部は、
前記コンテンツの種類を識別するためのコンテンツ識別情報をさらに受信し、
前記制御部は、
前記コンテンツ識別情報に基づいて、受信したコンテンツに画像信号又は音声信号が含まれているか否かを判断することを特徴とする。
【００３６】
コンテンツ識別情報は、例えば、ＤＶＤオーディオを再生した場合に、音声信号とは独立してＤＶＤプレーヤーから出力される識別信号（ＤＶＤオーディオであることを識別するための信号）であってもよい。
【００３７】
本発明によれば、コンテンツの種類を識別するためのコンテンツ識別情報に基づいて、音声のみを含むコンテンツ又は画像のみを含むコンテンツであると判断した場合は、それぞれ画像表示部又は音声出力部が自動的に省電力モードに設定される。従って、消費電力の小さい画像表示装置を提供することができる。
【００３８】
（１１）本発明に係る画像表示装置は、
前記制御部は、
起動時は、前記画像表示部又は前記音声出力部の少なくとも一方を省電力モードに設定することを特徴とする。
【００３９】
制御部は、起動時に、画像表示部及び音声出力部の両方を省電力モードに設定するようにしてもよい。
【００４０】
本発明によれば、起動時に画像表示部又は音声出力部の少なくとも一方が自動的に省電力モードに設定される。従って、起動直後から画像表示部又は音声出力部の少なくとも一方の電力を削減することができるので、消費電力の小さい画像表示装置を提供することができる。
【００４１】
（１２）本発明に係る画像表示装置は、
前記制御部は、
起動時は、前記画像表示部又は前記音声出力部の少なくとも一方を通常モードに設定することを特徴とする。
【００４２】
制御部は、起動時に、画像表示部及び音声出力部の両方を通常モードに設定するようにしてもよい。
【００４３】
本発明によれば、起動時には画像表示部又は音声出力部の少なくとも一方は通常モードに設定される。従って、例えば、省電力モードから通常モードに移行するのに時間がかかるような場合であっても、コンテンツの受信後、直ちにユーザがコンテンツの視聴を行うことができる画像表示装置を提供することができる。
【００４４】
（１３）本発明は、上記のいずれかに記載の画像表示装置として機能するプロジェクタであって、
前記画像表示部は、
前記画像を投写するための放電ランプを含むことを特徴とする。
【００４５】
本発明によれば、例えば、音声のみを含むコンテンツを受信した場合は、画像表示は不要であるため、放電ランプを含む画像表示部を省電力モードに設定することができる。そのため、プロジェクタの消費電力の大部分を占める放電ランプの消費電力を削減することができる。従って、消費電力の小さいプロジェクタを提供することができる。
【００４６】
また、本発明によれば、例えば、音声のみを含むコンテンツを受信した場合は、画像表示は不要であるため、放電ランプを含む画像表示部への電力の供給を停止するようにすれば放電ランプを消灯させることができる。そのため、放電ランプの点灯時間を削減し、放電ランプの寿命を長期化することができる。従って、長期間放電ランプの交換が不要なプロジェクタを提供することができる。
【００４７】
（１４）本発明は、
画像信号及び音声信号の少なくとも一方を含むコンテンツを受信するコンテンツ受信部と、通常モードと省電力モードを含む複数の動作モードに設定可能であり、通常モードに設定された場合は受信した画像信号に基づいて画像を表示する画像表示部と、を含む音声出力機能付きの画像表示装置の制御方法であって、
受信したコンテンツに画像信号が含まれていない場合には、前記画像表示部を省電力モードに設定するステップを含むことを特徴とする。
【００４８】
本発明によれば、例えば、音声のみを含むコンテンツを受信した場合は、画像表示は不要であるため、音声出力部に音声出力をさせながら、画像表示部を省電力モードに設定することができる。従って、画像表示部の電力を削減することができるので、消費電力の小さい画像表示装置を提供することができる。
【００４９】
（１５）本発明は、
画像信号及び音声信号の少なくとも一方を含むコンテンツを受信するコンテンツ受信部と、通常モードと省電力モードを含む複数の動作モードに設定可能であり、通常モードに設定された場合は受信した音声信号に基づいて音声を出力する音声出力部と、を含む音声出力機能付きの画像表示装置の制御方法であって、
受信したコンテンツに音声信号が含まれていない場合には、前記音声出力部を省電力モードに設定するステップを含むことを特徴とする。
【００５０】
本発明によれば、例えば、画像のみを含むコンテンツを受信した場合は、音声出力は不要であるため、画像表示部に画像を表示させながら、音声出力部を省電力モードに設定することができる。従って、音声出力部の電力を削減することができるので、消費電力の小さい画像表示装置を提供することができる。
【発明を実施するための最良の形態】
【００５１】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００５２】
１．放電灯点灯装置
図１は、本実施の形態の画像表示装置の機能ブロック図である。
【００５３】
画像表示装置１は、音声出力機能付きの画像表示装置である。画像表示装置１は、コンテンツ出力装置１００が出力するコンテンツ１０２を受信してコンテンツ１０２に含まれる画像２２及び音声３２を出力する。画像表示装置１は、例えば、液晶プロジェクタやテレビジョン受信器であってもよい。
【００５４】
コンテンツ出力装置１００は、例えば、ＤＶＤプレーヤー、チューナーユニット、インターネットに接続されたパソコン（サーバー）等であってもよい。コンテンツ出力装置１００は、画像表示装置１の外部にあってもよいし、内部にあってもよい。例えば、画像装置１がＤＶＤプレーヤー内蔵のプロジェクタである場合のようにコンテンツ出力装置１００（ＤＶＤプレーヤー）は画像装置１の内部にあってもよい。
【００５５】
画像表示装置１は、コンテンツ受信部１０を含む。コンテンツ受信部１０は、コンテンツ出力装置１００が出力するコンテンツ１０２を受信する。コンテンツ受信部１０は、コンテンツ１０２の種類を識別するためのコンテンツ識別情報１０４をさらに受信可能に構成されていてもよい。
【００５６】
コンテンツ１０２は画像信号及び音声信号の少なくとも一方を含む。例えば、ＤＶＤビデオのコンテンツは画像信号及び音声信号の両方を含む。また、例えば、音楽ＣＤのコンテンツは音声信号のみを含むし、ＤＶＤオーディオのコンテンツも音声信号のみを含む場合もある。また、例えば、インターネット経由の場合は画像信号のみを含むコンテンツが配信される場合もある。
【００５７】
コンテンツ受信部１０は、例えば、受信したコンテンツ１０２から画像信号１６及び音声信号１８を抽出するようにしてもよい。画像信号１６及び音声信号１８は、画像表示部２０及び音声出力部３０にそれぞれ供給される。
【００５８】
画像表示装置１は、画像表示部２０を含む。画像表示部２０は、通常モードと省電力モードを含む複数の動作モードに設定可能に構成されていてもよい。画像表示部２０は、通常モードに設定された場合は受信した画像信号１６に基づいて画像２２を表示する。画像表示部２０は、省電力モードに設定された場合は所定のミュート画像を表示するように構成されていてもよいし、動作を完全に停止してもよい。
【００５９】
画像表示装置１は、音声出力部３０を含む。音声出力部３０は、通常モードと省電力モードを含む複数の動作モードに設定可能に構成されていてもよい。音声出力部３０は、通常モードに設定された場合は受信した音声信号１８に基づいて音声３２を出力する。音声出力部３０は、省電力モードに設定された場合は消音してもよいし、動作を完全に停止してもよい。
【００６０】
画像表示装置１は、制御部４０を含む。画像表示部２０及び音声出力部３０の動作を制御する。
【００６１】
コンテンツ受信部１０は、コンテンツ出力装置１００から受信したコンテンツ１０２を、そのままコンテンツ１２として制御部４０に入力する。また、コンテンツ受信部１０は、コンテンツ出力装置１００から受信したコンテンツ識別情報１４を、そのままコンテンツ識別情報１４として制御部４０に入力する。
【００６２】
制御部４０は、コンテンツ受信部１０から入力されたコンテンツ１２に画像信号が含まれていない場合には、画像表示部２０を省電力モードに設定するとともに音声出力部３０を通常モードに設定するようにしてもよい。すなわち、画像表示装置１は、画像２２を表示せずに音声３２のみを出力することが可能であるように構成されている。
【００６３】
また、制御部４０は、コンテンツ１２に音声信号が含まれていない場合には、画像表示部２０を通常モードに設定するとともに音声出力部３０を省電力モードに設定するようにしてもよい。すなわち、画像表示装置１は、音声３２を出力せずに画像２２のみを表示することが可能であるように構成されている。
【００６４】
制御部４０は、所定の入力操作情報６０に基づいて、コンテンツ受信部１０から入力されたコンテンツ１２に画像信号又は音声信号が含まれているか否かを判断するようにしてもよい。
【００６５】
また、制御部４０は、コンテンツ受信部１０から入力されたコンテンツ１２に含まれる所定の付加情報や同期信号に基づいて、コンテンツ１２に画像信号又は音声信号が含まれているか否かを判断するようにしてもよい。
【００６６】
さらに、制御部４０は、例えば、コンテンツ受信部１０から入力されたコンテンツ識別情報１４に基づいて、コンテンツ１２に画像信号又は音声信号が含まれているか否かを判断するようにしてもよい。
【００６７】
制御部４０は、画像表示装置１の起動時は、画像表示部２０又は音声出力部３０の少なくとも一方を省電力モードに設定するようにしてもよいし、画像表示部２０又は音声出力部３０の少なくとも一方を通常モードに設定するようにしてもよい。
【００６８】
画像表示装置１は、電力供給部５０を含む。電力供給部５０は、画像表示部２０に電力５２を供給する。また、電力供給部５０は、音声出力部３０に電力５４を供給する。電力供給部５０は、さらに、コンテンツ受信部１０や制御部４０にも電力を供給するように構成されていてもよい。
【００６９】
電力供給部５０は、画像表示部２０が省電力モードに設定された場合には画像表示部２０に電力５２を供給しないようにしてもよい。この場合、省電力モードでは、画像表示部２０の動作は完全に停止する。
【００７０】
また、電力供給部５０は、音声出力部３０が省電力モードに設定された場合には音声出力部３０に電力５４を供給しないようにしてもよい。この場合、省電力モードでは、音声出力部３０の動作は完全に停止する。
【００７１】
例えば、制御部４０は、画像表示部２０又は音声出力部３０を省電力モードに設定した場合はそれに応じた制御信号４２を生成し、電力供給部５０は、制御信号４２に従って画像表示部２０又は音声出力部３０への電力の供給を停止するようにしてもよい。
【００７２】
図２は、本実施の形態の画像表示装置がユーザの入力操作に従って画像表示部の動作モードを決定する手順の一例を示すフローチャートである。以下、図１を参照しながら図２におけるフローチャートについて説明する。
【００７３】
まず、画像表示装置１の起動時に、制御部４０は画像表示部２０を通常モードに設定する（ステップＳ１０）。
【００７４】
次に、制御部４０は、例えば、一定時間毎に、ユーザにより画像表示の停止を指示する入力操作が行われたか否かを判断する（ステップＳ１２）。
【００７５】
制御部４０は、画像表示の停止を指示する入力操作が行われたと判断した場合（ステップＳ１２でＹＥＳの場合）は画像表示部２０を省電力モードに設定する（ステップＳ１４）。画像表示部２０が省電力モードに設定されると、例えば、電力供給部５０は画像表示部２０への電力５２の供給を停止するので、画像２２は表示されない。また、画像表示部２０が省電力モードに設定されると、例えば、電力供給部５０は画像表示部２０に供給する電力を下げ、画像表示部２０はミュート画像（例えば、全面が黒色の画像）を表示するようにしてもよい。
【００７６】
次に、制御部４０は、例えば、一定時間毎に、ユーザにより画像表示を指示する入力操作が行われたか否かを判断する（ステップＳ１６）。
【００７７】
制御部４０は、画像表示を指示する入力操作が行われたと判断した場合（ステップＳ１６でＹＥＳの場合）は画像表示部２０を通常モードに設定する（ステップＳ１８）。その結果、コンテンツ１０２に含まれる画像信号１６に対応する画像２２が表示される。
【００７８】
このように図２のフローチャートに従えば、本実施の形態の画像表示装置は、ユーザの入力操作に従って画像を表示するか否かを決定することができる。
【００７９】
なお、図２のフローチャートでは、画像表示装置１の起動時に、画像表示部は通常モードに設定されるが、省電力モードに設定されるようにしてもよい。その場合は、ステップＳ１２及びＳ１４の処理とステップＳ１６及びＳ１８の処理を入れ替えればよい。
【００８０】
図３は、本実施の形態の音声出力装置がユーザの入力操作に従って音声出力部の動作モードを決定する手順の一例を示すフローチャートである。以下、図１を参照しながら図３におけるフローチャートについて説明する。
【００８１】
まず、画像表示装置１の起動時に、制御部４０は音声出力部３０を通常モードに設定する（ステップＳ３０）。
【００８２】
次に、制御部４０は、例えば、一定時間毎に、ユーザにより音声出力の停止を指示する入力操作が行われたか否かを判断する（ステップＳ３２）。
【００８３】
制御部４０は、音声出力の停止を指示する入力操作が行われたと判断した場合（ステップＳ３２でＹＥＳの場合）は音声出力部３０を省電力モードに設定する（ステップＳ３４）。音声出力部３０が省電力モードに設定されると、例えば、電力供給部５０は音声出力部３０への電力５４の供給を停止するので、音声３２は出力されない。
【００８４】
次に、制御部４０は、例えば、一定時間毎に、ユーザにより音声出力を指示する入力操作が行われたか否かを判断する（ステップＳ３６）。
【００８５】
制御部４０は、音声出力を指示する入力操作が行われたと判断した場合（ステップＳ３６でＹＥＳの場合）は音声出力部３０を通常モードに設定する（ステップＳ３８）。その結果、音声信号１８に対応する音声３２が出力される。
【００８６】
このように図３のフローチャートに従えば、本実施の形態の音声出力装置は、ユーザの入力操作に従って音声を出力するか否かを決定することができる。
【００８７】
なお、図３のフローチャートでは、画像表示装置１の起動時に、音声出力部は通常モードに設定されるが、省電力モードに設定されるようにしてもよい。その場合は、ステップＳ３２及びＳ３４の処理とステップＳ３６及びＳ３８の処理を入れ替えればよい。
【００８８】
図４は、本実施の形態の画像表示装置がコンテンツの種類によって画像表示部及び音声出力部の動作モードを自動的に決定する手順の一例を示すフローチャートである。以下、図１を参照しながら図４におけるフローチャートについて説明する。
【００８９】
まず、コンテンツ受信部１０がコンテンツ出力装置１００からコンテンツ１０２を受信する（ステップＳ５０）。
【００９０】
次に、制御部４０により、コンテンツ受信部１０から入力されたコンテンツ１２が画像信号を含むか否かが判断される（ステップＳ５２）。
【００９１】
コンテンツ１２が画像信号を含むと判断された場合（ステップＳ５２でＹＥＳの場合）、制御部４０は画像表示部２０を通常モードに設定する（ステップＳ５４）。その結果、画像信号１６に対応する画像２２が表示される。
【００９２】
コンテンツ１２が画像信号を含まないと判断された場合（ステップＳ５２でＮＯの場合）、制御部４０は画像表示部２０を省電力モードに設定する（ステップＳ５６）。画像表示部２０が省電力モードに設定されると、例えば、電力供給部５０は画像表示部２０への電力５２の供給を停止するので、画像２２は表示されない。
【００９３】
次に、制御部４０により、コンテンツ受信部１０から入力されたコンテンツ１２が音声信号を含むか否かが判断される（ステップＳ５８）。
【００９４】
コンテンツ１２が音声信号を含むと判断された場合（ステップＳ５８でＹＥＳの場合）、制御部４０は音声出力部３０を通常モードに設定する（ステップＳ６０）。その結果、音声信号１８に対応する音声３２が出力される。
【００９５】
コンテンツ１２が音声信号を含まないと判断された場合（ステップＳ５８でＮＯの場合）、制御部４０は音声出力部３０を省電力モードに設定する（ステップＳ６２）。音声出力部３０が省電力モードに設定されると、例えば、電力供給部５０は音声出力部３０への電力５４の供給を停止するので、音声３２は出力されない。
【００９６】
図４のフローチャートのステップＳ５２、Ｓ５４において、制御部４０は、例えば、コンテンツ受信部１０から入力されたコンテンツ１２に含まれる付加情報や同期信号に基づいて、コンテンツ１２に画像信号及び音声信号が含まれているか否かを判断するようにしてもよい。
【００９７】
さらに、ステップＳ５２、Ｓ５４において、制御部４０は、例えば、コンテンツ受信部１０から入力されたコンテンツ識別情報１４に基づいて、コンテンツ１２に画像信号及び音声信号が含まれているか否かを判断するようにしてもよい。
【００９８】
このように図４のフローチャートに従えば、本実施の形態の画像表示装置は、コンテンツが画像信号のみを含む場合は画像を表示するとともに音声を出力しないようにすることができる。また、コンテンツが音声信号のみを含む場合は音声を出力するとともに画像を表示しないようにすることができる。
【００９９】
なお、図４のフローチャートでは、まず、コンテンツに画像信号が含まれるか否かを判断した後、音声信号が含まれるか否かを判断しているが、先に音声信号が含まれるか否かを判断するようにしてもよい。また、コンテンツに画像信号及び音声信号が含まれるか否かを同時に判断するようにしてもよい。
【０１００】
図５は、コンテンツに含まれる付加情報の一例を説明するための図である。
【０１０１】
図１で説明したコンテンツ出力装置１００がコンテンツ１０２をデジタル出力するコンテンツ出力装置である場合、例えば、コンテンツ１０２をＮ個のコンテンツ１０２−１〜Ｎに分割して時系列に出力する。Ｎ個のコンテンツ１０２−１〜Ｎは、ヘッダ情報（付加情報）とコンテンツデータを含んでいる。
【０１０２】
各コンテンツデータには、画像表示装置１が表示する画像及び出力する音に対応する画像信号及び音声信号の少なくとも一方が含まれている。
【０１０３】
ヘッダ情報（付加情報）には、対応するコンテンツデータに関する種々の情報が含まれており、対応するコンテンツデータの種類を判別することができる情報が含まれている。すなわち、ヘッダ情報（付加情報）には、コンテンツデータが画像のみのコンテンツ、音声のみのコンテンツ、画像と音声の両方を含むコンテンツのいずれであるかを判別することができる情報が含まれている。
【０１０４】
図１で説明したコンテンツ受信部１０は、コンテンツ出力装置１００から受信したコンテンツ１０２−１〜Ｎを、そのままコンテンツ１２−１〜Ｎとして制御部４０に入力する。
【０１０５】
従って、図４のフローチャートのステップＳ５２、Ｓ５４において、制御部４０は、例えば、コンテンツ１２−１〜Ｎに含まれる付加情報に基づいて、コンテンツ１２−１〜Ｎに画像信号及び音声信号が含まれているか否かを判断するようにしてもよい。また、制御部４０は、例えば、ヘッダ情報に画像信号の同期フラグ（同期信号）や音声信号の同期フラグ（同期信号）が含まれているか否かを判断することにより、コンテンツ１２−１〜Ｎに画像信号及び音声信号が含まれているか否かを判断するようにしてもよい。
【０１０６】
２．プロジェクタ
図６は、図１で説明した画像表示装置の具体例としての本実施の形態のプロジェクタの構成例を説明するための図である。以下、図１を参照しながら図６について説明する。
【０１０７】
プロジェクタ４００は、コンテンツ受信部４１０、ＣＰＵ４２０、直流電源装置４３０、画像表示部５００、音声出力部６００を含んで構成されている。
【０１０８】
コンテンツ出力装置７００は、例えば、ＶＨＳビデオ、ＤＶＤプレーヤー、ＢＳチューナー、ＣＳチューナー、ゲーム機、パソコン等であり、コンテンツ４１２（映画、音楽等）を出力する。また、コンテンツ出力装置７００は、コンテンツの種類を識別するためのコンテンツ識別情報７０４をさらに出力してもよい。
【０１０９】
コンテンツ受信部４１０は、コンテンツ出力装置７００が出力するコンテンツ７０２を受信して画像信号４１６及び音声信号４１８を抽出し、画像表示部５００及び音声出力部６００にそれぞれ供給する。また、コンテンツ受信部４１０は、受信したコンテンツ７０２を、そのままコンテンツ４１２としてＣＰＵ４２０に供給する。さらに、コンテンツ出力装置７００がコンテンツ識別情報７０４を出力する場合は、コンテンツ受信部４１０は、受信したコンテンツ識別情報７０４を、そのままコンテンツ識別情報４１４としてＣＰＵに供給するようにしてもよい。コンテンツ受信部４１０は、図１で説明したコンテンツ受信部１０に対応する。
【０１１０】
ＣＰＵ４２０は、プロジェクタ４００の動作を制御する。ＣＰＵ４２０は、図１で説明した制御部４０に対応する。
【０１１１】
ＣＰＵ４２０は、コンテンツ４１２に画像信号が含まれていない場合には、画像表示部５００を省電力モードに設定するとともに音声出力部６００を通常モードに設定する。
【０１１２】
また、ＣＰＵ４２０は、コンテンツ４１２に音声信号が含まれていない場合には、画像表示部５００を通常モードに設定するとともに音声出力部６００を省電力モードに設定する。
【０１１３】
ＣＰＵ４２０は、ユーザによるリモコン７１０の操作に応じた入力操作情報７１２に基づいて、コンテンツ４１２に画像信号又は音声信号が含まれているか否かを判断するようにしてもよい。
【０１１４】
また、ＣＰＵ４２０は、コンテンツ４１２の付加情報（例えば、ヘッダ情報）や同期信号に基づいて、コンテンツ４１２に画像信号又は音声信号が含まれているか否かを判断するようにしてもよい。
【０１１５】
さらに、ＣＰＵ４２０は、コンテンツ識別情報４１４に基づいて、コンテンツ４１２に画像信号又は音声信号が含まれているか否かを判断するようにしてもよい。
【０１１６】
ＣＰＵ４２０は、プロジェクタ４００の起動時は、画像表示部５００又は音声出力部６００の少なくとも一方を省電力モードに設定するようにしてもよいし、画像表示部５００又は音声出力部６００の少なくとも一方を通常モードに設定するようにしてもよい。
【０１１７】
直流電源装置４３０は、外部の交流電源８００から供給される交流電圧を所定の直流電圧に変換し、コンテンツ受信部４１０、ＣＰＵ４２０、画像表示部５００、音声出力部６００等に供給する。直流電源装置４３０は、図１で説明した電力供給部５０に対応する。
【０１１８】
画像表示部５００は、画像信号処理部５１０、放電灯点灯装置５２０、放電ランプ５３０、ミラー群５４０、液晶パネル５５０Ｒ、５５０Ｇ、５５０Ｂ等を含んで構成されている。画像表示部５００は、図１で説明した画像表示部２０に対応する。
【０１１９】
画像信号処理部５１０は、画像信号４１６をデジタルＲＧＢ信号に変換した後画像処理を行い、液晶パネル５５０Ｒ、５５０Ｇ、５５０Ｂをそれぞれ駆動するための駆動信号５１２Ｒ、５１２Ｇ、５１２Ｂを出力する。
【０１２０】
放電灯点灯装置５２０は、放電ランプ５３０の点灯状態を制御する。放電灯点灯装置５２０は、プロジェクタ４００の起動時に、放電ランプ５４０の電極間に高電圧を発生して電極間を絶縁破壊して放電路を形成する。その後、点灯始動期間を経て放電ランプ５３０が定常点灯状態に至ると放電ランプ５３０を交流駆動する。
【０１２１】
放電ランプ５３０が発する光線は、ミラー群５４０に含まれる２つのダイクロイックミラーを通してそれぞれＲ、Ｇ、Ｂのみの３つの光線に分離され、その他のミラーで反射されて、それぞれ液晶パネル５５０Ｒ、５５０Ｇ、５５０Ｂに透過される。液晶パネル５５０Ｒ、５５０Ｇ、５５０Ｂには、それぞれ駆動信号５１２Ｒ、５１２Ｇ、５１２Ｂによる画像が表示されており、それぞれＲ、Ｇ、Ｂのみの３つの光線が透過された後プリズムで合成された画像５０２がスクリーン９００に表示される。
【０１２２】
音声出力部６００は、音声信号処理部６１０、オーディオアンプ６２０、スピーカ６３０等を含んで構成されている。音声出力部６００は、図１で説明した音声出力部３０に対応する。
【０１２３】
音声信号処理部６１０は音声信号４１８に所定の処理を施して音声信号６１２を出力し、オーディオアンプ６２０は音声信号６１２を増幅してスピーカ６３０を駆動し、スピーカ６３０が音６０２（音声、音楽等）を出力する。
【０１２４】
ここで、画像表示部５００及び音声出力部６００がそれぞれ省電力モード及び通常モードに設定された場合、ＣＰＵ４２０は、例えば、直流電源装置４３０が画像表示部５００に供給する電力のみ下げるように制御する制御信号４２２を生成してもよい。この場合、放電ランプ５３０の出力が下がり、画像表示部５００は画像５０２としてミュート画像（例えば、全面黒色の画像）をスクリーン９００に表示してもよい。
【０１２５】
また、画像表示部５００及び音声出力部６００がそれぞれ省電力モード及び通常モードに設定された場合、ＣＰＵ４２０は、例えば、直流電源装置４３０が音声出力部６００に電力を供給するとともに画像表示部５００には電力を供給しないように制御する制御信号４２２を生成してもよい。この場合、画像表示部５００の動作が完全に停止するので画像５０２はスクリーン９００に表示されない。
【０１２６】
一方、画像表示部５００及び音声出力部６００がそれぞれ通常モード及び省電力モードに設定された場合、ＣＰＵ４２０は、例えば、直流電源装置４３０が画像表示部５００に電力を供給するとともに音声出力部６００には電力を供給しないように制御する制御信号４２２を生成してもよい。この場合、音声出力部６００の動作が完全に停止するので音声６０２は出力されない。
【０１２７】
このように、本実施の形態のプロジェクタ４００によれば、ユーザによる入力操作に従って、任意に画像５０２の表示又は音６０２の出力をさせないようにことができる。また、コンテンツ４１２の種類に応じて、自動的に画像５０２の表示又は音声６０２の出力をさせないようにことができる。従って、本実施の形態のプロジェクタ４００によれば、快適な視聴環境を提供することができる。
【０１２８】
本実施の形態のプロジェクタ４００によれば、例えば、音声のみを含むコンテンツを受信した場合は、画像表示は不要であるため、放電ランプ５３０を含む画像表示部５００を省電力モードに設定することができる。そのため、プロジェクタ４００の消費電力の大部分を占める放電ランプ５３０の消費電力を削減することができる。従って、音声のみを含むコンテンツを受信した場合の消費電力を大幅に削減することができる。
【０１２９】
また、本実施の形態のプロジェクタ４００によれば、例えば、音声のみを含むコンテンツを受信した場合は、画像表示は不要であるため、放電ランプ５３０を含む画像表示部５００への電力の供給を停止するようにすれば放電ランプ５３０を消灯させることができる。そのため、放電ランプ５３０の点灯時間を削減し、放電ランプ５３０の寿命を長期化することができる。従って、放電ランプ５３０の交換が長期間不要になる。また、放電ランプ５３０が消灯している間は、例えば、放電ランプ５３０を冷却するための冷却ファン（図示せず）の回転速度を低下させることができるので、冷却ファンの駆動に伴う騒音を低減することができる。従って、快適な視聴環境を提供することができる。
【０１３０】
なお、本発明は本実施形態に限定されず、本発明の要旨の範囲内で種々の変形実施が可能である。
【０１３１】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【０１３２】
【図１】本実施の形態の画像表示装置の機能ブロック図。
【図２】ユーザの入力操作に従って画像表示部の動作モードを決定する手順の一例を示すフローチャート。
【図３】ユーザの入力操作に従って音声出力部の動作モードを決定する手順の一例を示すフローチャート。
【図４】コンテンツの種類によって画像表示部及び音声出力部の動作モードを自動的に決定する手順の一例を示すフローチャート。
【図５】コンテンツに含まれる付加情報の一例を説明するための図。
【図６】本実施の形態のプロジェクタの構成例を説明するための図。
【符号の説明】
【０１３３】
１  画像表示装置、１０  コンテンツ受信部、１２  コンテンツ、１４  コンテンツ識別情報、１６  画像信号、１８  音声信号、２０  画像表示部、２２  画像、３０  音声出力部、３２  音、４０  制御部、４２  制御信号、５０  電力供給部、５２  供給電力、５４  供給電力、６０  入力操作情報、１００  コンテンツ出力装置、１０２  コンテンツ、１０４  コンテンツ識別情報、４００  プロジェクタ、４１０  コンテンツ受信部、４１２  コンテンツ、４１４  コンテンツ識別情報、４１６  画像信号、４１８  音声信号、４２０  制御部、４２２  制御信号、４３０  直流電源装置、５００  画像表示部、５０２  画像、５１０  画像信号処理部、５１２Ｒ  液晶パネル（Ｒ）駆動信号、５１２Ｇ  液晶パネル（Ｇ）駆動信号、５１２Ｂ  液晶パネル（Ｂ）駆動信号、５１２Ｒ  画像信号（Ｒ）、５１２Ｇ  画像信号（Ｇ）、５１２Ｂ  画像信号（Ｂ）、５２０  放電灯点灯装置、５３０  放電ランプ、５４０  ミラー群、５５０Ｒ  液晶パネル（Ｒ）、５５０Ｇ  液晶パネル（Ｇ）、５５０Ｂ  液晶パネル（Ｂ）、６００  音声出力部、６０２  音、６１０  音声信号処理部、６１２  音声信号、６２０  オーディオアンプ、６３０  スピーカ、７００  コンテンツ出力装置、７０２  コンテンツ、７０４  コンテンツ識別情報、８００  交流電源、９００  スクリーン
【図１】
0004998726.tif 000002
【図２】
0004998726.tif 000003
【図３】
0004998726.tif 000004
【図４】
0004998726.tif 000005
【図５】
0004998726.tif 000006
【図６】
0004998726.tif 000007